(57)【要約】【課題】　隣接して配置された複数の画像処理装置の作動ステータスを監視するシステムを提供すること。【解決手段】　本発明に係るシステムは、上記複数の画像処理装置に接続された少なくとも１つの送信器を有する。送信器は、画像処理装置についての作動ステータス・データを組み込んだ無線信号を送信する。携帯端末は、上記無線信号を受信する受信器、ディスプレイ手段、及び、該ディスプレイ手段上に上記画像処理装置の各々についての上記ステータス・データを、所定の提示スキームに従って、システム全体のステータス表示として又は特定の画像処理装置に関する装置ステータス表示として提示する提示モジュール、を備える。システム全体のステータス表示は、主としてすべての装置が正常であることを確認することが意図されており、ある装置に注目が必要なときには該装置に関する装置ステータス表示に自動的に切り替わる。【選択図】　図１
2004135341.tif 000002
【特許請求の範囲】
【請求項１】
　隣接して配置された複数の画像処理装置の作動ステータスを監視する方法であって、
　前記画像処理装置の各々についての作動ステータス・データを組み込んだ無線信号を送信し、
　前記無線信号を携帯端末において受信し、
　前記ステータス・データを、所定の提示スキームに従って、システム全体のステータス表示として又は特定の画像処理装置に関する装置ステータス表示として、前記携帯端末のオペレータに提示する、ことを特徴とする方法。
【請求項２】
　請求項１記載の方法であって、
　前記所定の提示スキームは、前記システム全体のステータス表示を提示し、前記特定の画像処理装置において所定のイベントが発生したときに該特定の画像処理装置に関する前記装置ステータス表示に自動的に切り替える、ように指示するものである、ことを特徴とする方法。
【請求項３】
　請求項２記載の方法であって、
　前記所定の提示スキームは、前記装置において発生するイベントに対する所定の優先度スキームに基づく、ことを特徴とする方法。
【請求項４】
　請求項３記載の方法であって、
　前記所定の提示スキームは、ある画像処理装置において高い優先度を持つイベントが発生したときにはその装置に関する装置ステータス表示を常に提示する、ように指示するものである、ことを特徴とする方法。
【請求項５】
　請求項３記載の方法であって、
　前記所定の提示スキームは、ある画像処理装置において低い優先度を持つイベントが発生したときには、前記携帯端末がその装置から所定の距離以内にいるときに限り、該装置に関する装置ステータス表示を提示する、ように指示するものである、ことを特徴とする方法。
【請求項６】
　請求項４記載の方法であって、
　装置の作動を妨害するイベントが高い優先度を有する、ことを特徴とする方法。
【請求項７】
　請求項５記載の方法であって、
　装置の正常な作動を妨げるイベントであるが、即時の注目を必要としないものは低い優先度を有する、ことを特徴とする方法。
【請求項８】
　請求項１記載の方法であって、
　オペレータに、前記携帯端末上の操作要素を用いて、前記システム全体のステータス表示か又は前記特定の画像処理装置に関する装置ステータス表示かを選ばせる、ことを特徴とする方法。
【請求項９】
　請求項１記載の方法であって、
　前記システム全体のステータス及び前記装置ステータス情報は、第一のグローバルなレベルと第二の詳細なレベルとを含む少なくとも２つのオペレータが選択可能な提示レベルの１つで前記携帯端末上に提示される、ことを特徴とする方法。
【請求項１０】
　請求項９記載の方法であって、
　前記提示レベルの各々は、関連した提示形式を有する、ことを特徴とする方法。
【請求項１１】
　請求項１０記載の方法であって、
　前記第一の提示レベルに関連付けられた提示形式は、シンプルなグラフィカル・シンボルを含む、ことを特徴とする方法。
【請求項１２】
　請求項４記載の方法であって、
　前記高い優先度を持つイベントに関連して装置ステータス表示を提示することには、音響的警報及び／又は振動による警報を含む、ことを特徴とする方法。
【請求項１３】
　請求項２記載の方法であって、
　前記携帯端末は、イベントに関連して特定の画像処理装置に関する装置ステータス表示を提示したとき、少なくとも確認とその特定のステータス提示を所定の後の時間まで延期するコマンドとを含む考えられる応答オプション群から応答を選択するようにオペレータに促す、ことを特徴とする方法。
【請求項１４】
　請求項２記載の方法であって、
　装置におけるイベントに関連して、前記携帯端末上の操作手段を通じてオペレータから要求されたときに、前記携帯端末上にサービス・ガイダンス情報を表示する、ことを特徴とする方法。
【請求項１５】
　隣接する場所に配置された複数の画像処理装置の作動ステータスを監視するシステムであって、
　前記複数の画像処理装置の１以上に接続され、前記画像処理装置についての作動ステータス・データを組み込んだ無線信号を送信する手段を備えた少なくとも１つの送信器と、
　前記無線信号を受信する受信器、ディスプレイ手段、及び、該ディスプレイ手段上に前記画像処理装置の各々の前記ステータス・データを、所定の提示スキームに従って、システム全体のステータス表示として又は特定の画像処理装置に関する装置ステータス表示として提示する提示モジュール、を備えた携帯端末と、を有することを特徴とするシステム。
【請求項１６】
　請求項１５記載のシステムであって、
　前記複数の画像処理装置に接続され、前記作動ステータス・データを収集し、該作動ステータスを前記少なくとも１つの送信器上に転送する、サーバを有することを特徴とするシステム。
【請求項１７】
　請求項１５記載のシステムであって、
　前記画像処理装置の各々には、画像処理装置ステータス・データを組み込んだ無線信号を送信する送信器が備えられ、
　前記携帯端末には、前記画像処理装置のすべてのステータス・データを収集する手段が備えられる、ことを特徴とするシステム。
【請求項１８】
　請求項１５記載のシステムであって、
　前記画像処理装置及び前記携帯端末の各々は無線ネットワークで接続されている、ことを特徴とするシステム。
【請求項１９】
　請求項１５記載のシステムであって、
　前記信号はＲＦ又はＩＲ信号である、ことを特徴とするシステム。
【請求項２０】
　請求項１５記載のシステムであって、
　前記所定の提示スキームは、前記システム全体のステータス表示を提示し、前記特定の画像処理装置において所定のイベントが発生したときに該特定の画像処理装置に関する前記装置ステータス表示に自動的に切り替える、ように指示するものである、ことを特徴とするシステム。
【請求項２１】
　請求項２０記載のシステムであって、
　前記所定の提示スキームは、前記装置において発生するイベントに対する所定の優先度スキームに基づく、ことを特徴とするシステム。
【請求項２２】
　請求項２１記載のシステムであって、
　前記所定の提示スキームは、ある画像処理装置において高い優先度を持つイベントが発生したときにはその装置に関する装置ステータス表示を常に提示する、ように指示するものである、ことを特徴とするシステム。
【請求項２３】
　請求項２１記載のシステムであって、
　前記携帯端末と前記画像処理装置の少なくとも１つとの間の距離を測定する距離検出モジュールを更に有し、
　前記所定の提示スキームは、ある画像処理装置において低い優先度を持つイベントが発生したときには、前記携帯端末がその装置から所定の距離以内にいるときに限り、該装置に関する装置ステータス表示を提示する、ように指示するものである、ことを特徴とするシステム。
【請求項２４】
　請求項２２記載のシステムであって、
　装置の作動を妨害するイベントが高い優先度を有する、ことを特徴とするシステム。
【請求項２５】
　請求項２３記載のシステムであって、
　装置の正常な作動を妨げるイベントであるが、即時の注目を必要としないものは低い優先度を有する、ことを特徴とするシステム。
【請求項２６】
　請求項１５記載のシステムであって、
　前記携帯端末には、前記システム全体のステータス表示か又は前記特定装置ステータス表示かいずれかを選択する選択手段が備えられ、
　前記提示モジュールは、前記選択手段に接続あれ、前記携帯端末のディスプレイ上に前記選択されたステータス表示を提示する、ことを特徴とするシステム。
【請求項２７】
　請求項２６記載のシステムであって、
　前記携帯端末の選択手段は、
　　可動式操作要素と、
　　前記端末のディスプレイ上に、システム全体及び個々の装置を表すディスプレイ・オブジェクトの列を少なくとも部分的に表示すると共に、マーカを表示する、選択ディスプレイ・モジュールと、を有し、
　前記列が前記マーカに沿って動くか、又は、前記マーカが前記列に沿って動き、
　前記列又はマーカの動きは、前記可動式操作要素の動きにほぼ一致しており、
　前記可動式操作要素は、前記列又は前記マーカが前記操作要素の一部に見えるように、前記ディスプレイと少なくとも部分的に知覚的に重なるように配置される、ことを特徴とするシステム。
【請求項２８】
　請求項２７記載のシステムであって、
　前記可動式操作要素は、回転リングであり、
　前記列は、円形又は少なくとも弧状である、ことを特徴とするシステム。
【請求項２９】
　請求項１５記載のシステムであって、
　前記提示モジュールは、第一のグローバルなレベルと第二の詳細なレベルとを含み、それぞれの提示レベルが関連した提示形式を有するむ少なくとも２つのオペレータが選択可能な提示レベルの１つで前記携帯端末のディスプレイ上にステータス情報を提示するように設計される、ことを特徴とするシステム。
【請求項３０】
　請求項１５記載のシステムであって、
　前記携帯端末には、音響的警報及び／又は振動による警報を生成する手段が備えられる、ことを特徴とするシステム。
【請求項３１】
　請求項１５乃至３０のいずれか一項記載の携帯端末装置。
【発明の詳細な説明】
【技術分野】
【０００１】
　本発明は、隣接して配置された複数の画像処理装置の作動ステータスを監視するシステム及び方法と、隣接した複数の画像処理装置の作動ステータスを監視する携帯端末とに関する。ここで用いられる「画像処理装置」という一般的な用語は、例えば、プリンタ、プロッタ、スキャナ、コピー機、ファクシミリ機、オンライン排出、オフライン排出、及び、これらの組み合わせ又はバリエーションなどである。すなわち、「画像処理」とは、単なる紙上の書類を取り扱うことも含む。
【背景技術】
【０００２】
　米国特許第５，３９８，２５７号は、コピー機プロセッサによって制御されたコピー回路を含むコピー機について開示している。このコピー機プロセッサは、コピー機についてのステータス情報を収集・生成し、このステータス情報を無線送受信機でリモート・プロセッサに送信する。送受信プロセッサを用いて、このステータス情報を分析し、無線送受信機の作動を制御することができる。また、無線送受信機は、ステータス情報が送信されると、コピー回路の作動を制御する際にコピー機プロセッサが用いる情報及び是正措置を受信することができる。監視ネットワークは、ベース送受信機を通じてステータス情報をベース・プロセッサへ送る複数のコピー機を用いて構成される。ベース・プロセッサは、ステータス情報が受信されると、適切な行動を開始することができる。
【０００３】
　米国特許第５，８２２，２２１号は、論理回路と事務機器のディスプレイ回路とに連結されたインターフェース回路を含む事務機器監視装置について開示している。インターフェース回路は、事務機器のディスプレイ回路が事務機器の論理回路からのデータを受信できるようにしつつ、該データをインターセプトする。インターフェース・ボードによってインターセプトされたデータは、マイクロコントローラ・ユニットによって処理され、無線メッセージ形式にセットされ、無線送受信器ユニットを通じて監視ベースに送られる。この事務機器監視装置は、事務機器内にインターフェース・ユニットを設け、事務機器の作動に影響を与えずにデータをインターセプトすること、及び、手動によるチェックを実行せずに又はリモート・ホスト監視コンピュータへの高価な通信リンクを設けずに事務機器を監視すること、を可能にする。
【０００４】
　米国特許第５，７８７，１４９号は、セルラ技術を用いることによって、遠隔に配置された書類作成機を管理する方法及び装置について開示している。この装置は、中央コンピュータと、中央セルラ無線局と、複数のリモート書類生成機とを含む。中央コンピュータは、リモート書類生成ノードの選択された一に向けられたコピー機管理コマンドを生成し、このコマンドを中央セルラ無線局に供給する。次いで、この無線局は、中央セルラ無線を用いて、このコピー機管理コマンドを選択されたリモート・コピー機ノードへ中継する。代替的に、リモート書類生成ノードにおいて、管理データを中央セルラ局へ送信することによって遠隔管理オペレーションが開始されてもよい。
【発明の開示】
【発明が解決しようとする課題】
【０００５】
　以上説明したコピー機及びネットワーク・ソリューションにより、コピー機ステータス情報の監視のためのワイヤの導入を避けることができ、ステータス情報の送信に無線送受信機を用いるコピー機が提供される。しかし、このコピー機ステータス情報は、固定された場所である中央のベース・プロセッサでしか受信できない。
【０００６】
　米国特許第５，７０１，５４８号は、コピー機の作動モードが該コピー機から離れたところにあるＩＣカードを用いて設定される複写システムについて開示している。このＩＣカードは、そのＩＣカード自体を固有に識別するための識別コード、コピー機を固有に識別する識別コード、及び、予め格納された該コピー機についての作動モード設定情報を含む信号を送信する送信器と；コピー機から送信された信号を受信する受信器と；コピー機及びその作動状態を識別するＣＰＵと；ディスプレイと；を有する。コピー機は、コピー機自体を識別する識別コード、ＩＣカードを識別する識別コード、及び、コピー機自体の作動状態に関する情報を含む信号を送信する送信器と；ＩＣカードから送信された信号を受信する受信器と；発信元のＩＣカードを識別し、コピー機作動モードを設定するＣＰＵと；を有する。ＩＣカードがあるコピー機のそばに近づくと、そのコピー機はＩＣカードに記憶された作動モードを実行し、その作動状態をＩＣカードに送信する。ＩＣカードはその作動状態を表示する。このＩＣカードは、該ＩＣカードをプログラムするためにオフライン・ジョブ・コマンダに挿入することができる。
【０００７】
　中央複写部門（ｃｅｎｔｒａｌ　ｒｅｐｒｏｇｒａｐｈｉｃｓ　ｄｅｐａｒｔｍｅｎｔ）において、画像処理装置が作動し続けることは非常に重要である。画像処理装置が作動を停止し、オペレータ・インタラクションが直ちに必要とされる作動ステータスとしては、例えば、紙詰まり、特殊挿入物を必要とする印刷ジョブ、トレイの用紙切れ、及び、排出完了、などが挙げられる。しかし、オペレータは、画像処理装置の可聴な又は可視的な糸口に届かないところにいるかもしれない。あるいは、中央ベース・プロセッサから離れたところにいるかもしれない。
【０００８】
　よって、複数の画像処理装置を監視する改善されたシステムに対する必要性が存在する。
【０００９】
　このような背景により、本発明の目的は、最初に述べた種類の複数の画像処理装置の作動ステータスを監視する方法及びシステムであって、自由に動き回るオペレータに画像処理装置群全体の作動ステータスについて簡便且つ継続的に情報伝達し続けることが可能な方法及びシステムを提供することである。
【課題を解決するための手段】
【００１０】
　この目的は、隣接して配置された複数の画像処理装置の作動ステータスを監視する方法であって、前記画像処理装置の各々についての作動ステータス・データを組み込んだ無線信号を送信し、該無線信号を少なくとも１つの携帯端末において受信し、前記ステータス・データを、所定の提示スキームに従って、システム全体のステータス表示として又は特定の画像処理装置に関する装置ステータス表示として、前記携帯端末のオペレータに提示する、方法により達成される。
【００１１】
　加えて、上記本発明の目的は、隣接して配置された複数の画像処理装置の作動ステータスを監視するシステムであって、前記複数の画像処理装置の１以上に接続され、前記画像処理装置の各々についての作動ステータス・データを組み込んだ無線信号を送信する手段を備えた少なくとも１つの送信器と、前記無線信号を受信する受信器、ディスプレイ手段、及び、該ディスプレイ手段上に前記画像処理装置の各々の前記ステータス・データを、所定の提示スキームに従って、システム全体のステータス表示として又は特定の画像処理装置に関する装置ステータス表示として提示する提示モジュール、を備えた携帯端末と、を有するシステムによっても達成される。
【００１２】
　本システムは、前記複数の画像処理装置に接続され、前記作動ステータス・データを収集し、該作動ステータスを前記少なくとも１つの送信器上に転送することによって、送信器によって送信されるデータ量を低減するサーバを有し得る。
【００１３】
　上記サーバは、上記作動ステータス・データを送信器に転送する前に前処理することによって、送信器によって送信されるデータ量を低減することが好ましい。
【００１４】
　送信器によって送信される信号は、例えば無線周波数（ＲＦ）信号であり、低パワＲＦ信号であれば好ましく、ブルートゥース仕様書１．０Ａ、１．０Ｂ、又は１．１に規定されたＲＦ信号であるとより好ましい。
【００１５】
　あるいは、代替的に、送信器によって送信される信号は、赤外線（ＩＲ）信号でもよい。ＩＲ信号は、ＲＦ信号を用いる場合のような免許が不要である点で特に有利である。オペレータ及び画像処理装置が１つの部屋内にすべて位置していないとき、残りの部屋へ信号を送信する中継局を用いることができる。
【００１６】
　画像処理装置の各々は、画像処理装置ステータス・データを組み込んだ無線信号を送信する送信器が備えることができる。
【００１７】
　画像処理装置の各々及び携帯端末は、無線ネットワークに接続することができる。
【００１８】
　本発明の一実施形態において、上記所定の提示スキームは、システム全体のステータス表示を提示し、特定の画像処理装置において所定のイベントが発生したときに該特定の画像処理装置に関する装置ステータス表示に自動的に切り替える、ように指示するものである。したがって、システム全体ステータスがデフォルト提示であり、特定の装置に注目が必要な場合のみ、そのステータスが示される。このように、すべての装置が正常に機能している限り、オペレータはすべてが順調であることを一目で確認することができ、その状況では必要の無い詳細によって煩わされることがない。
【００１９】
　代替的実施形態において、携帯端末のオペレータは、端末上に備えられた操作要素を用いて、特定の画像処理装置に関するステータス情報を自ら選択することができる。
【００２０】
　さらに別の実施形態において、上記装置ステータス情報は、第一のグローバルなレベルと第二の詳細なレベルとを含み、各レベルが関連した提示形式を有する少なくとも２つのオペレータが選択可能な提示レベルの１つで提示される。グローバル・レベルにおいては、オペレータがステータスを一目で理解できるように、良く知られた「ニコニコマーク」などのシンプルなグラフィカル・シンボルが提示される。
【００２１】
　ある画像処理装置においてあるイベントが発生した場合、所定の優先度スキームに応じて、その装置に関する装置ステータス情報が自動的に携帯端末上に示される。例えば紙詰まりや用紙トレイ空などの装置の作動を妨げるイベントなどの高い優先度のイベントは常に示され、例えばトナー・レベル小などの正常な操作を妨げるが即時の修理を必要としないイベントなどのより低い優先度のイベントは、携帯端末を持ったオペレータがその装置の周辺にいるときだけ示される。印刷開始又は印刷終了などの正常で問題の無いステータス変化に関するイベントは、優先度ステータスを持たず、オペレータがその装置のステータスを明白に選択したときのみ示される。
【００２２】
　本発明の更に別の目的は、上記本発明に係るシステムにおいて用いられる携帯端末を提供することである。
【００２３】
　作動ステータスを表示させる装置を選択する手段を設けることによって、携帯機器で通常用いられている比較的小さいディスプレイでも画像処理装置のステータス・データを効果的に表示するのに十分である。
【００２４】
　携帯端末には、オペレータに警告するための視覚的及び／又は音響的及び／又は振動による警報を生成する手段を設けることができる。
【００２５】
　携帯端末には、カラー・ディスプレイを備えることができる。これにより、選択された画像処理装置のステータスを色分けされたグラフィカル・アイコンとして表示できる。
【００２６】
　本発明に係る、隣接して配置された複数の画像処理装置の作動ステータスを監視するシステム、及び、隣接して配置された複数の画像処理装置の作動ステータスを監視する携帯端末、の更なる目的、特徴、利点、及び特性は、詳細な説明から明らかとなる。
【発明の効果】
【００２７】
　本発明によれば、隣接して配置された複数の画像処理装置の作動ステータスを監視するシステムを提供することができる。
【発明を実施するための最良の形態】
【００２８】
　本開示中の以下の詳細な説明において、本発明を図面に示した例示的実施形態を参照してより詳細に説明する。
【００２９】
　ここで用いられる「画像処理装置」という一般的な用語は、例えば、プリンタ、プロッタ、スキャナ、コピー機、ファクシミリ機、オンライン排出、オフライン排出、及び、これらの組み合わせ又はバリエーションなどである。すなわち、「画像処理」とは、単なる紙上の書類を取り扱うことも含む。
【００３０】
　図１を参照する。図１には、中央集権化された複写部門における複数の画像処理装置が示されている。本実施形態においては、３つのコピー機１０、２つのプリンタ１１、１つのスキャナ１２、及び、１つのファクシミリ１３のすべてがローカル・エリア・ネットワークに接続されている。これら装置の各々は、自身の作動ステータスをネットワーク・カードを通じてネットワーク内の一アドレスへ送信することができる。ここではＰＣであるサーバ２０が、ネットワーク及び無線送信器２２に接続される。画像処理装置１０、１１、１２、１３は、装置主導で又は要求に応じて、自身の作動ステータスを定期的に（エラーの場合には遅滞無く）サーバへ送る。サーバは、このステータス情報を画像処理装置１０、１１、１２、１３を固有に識別する情報を含む無線送信に適したコードに処理する。送信器２２は、例えば、ブルートゥース規格などに準拠した、低密度信号を用いた無線周波数（ＲＦ）送信器である。あるいは、送信器は、ＩＥＥＥ８０２．１１ａ又はＩＥＥＥ８０２．１１ｂ無線ＬＡＮ規格に定義されたものなどのより集約的なＲＦ信号を用いてもよい。
【００３１】
　あるいは、送信器２２は、作動ステータス・データを組み込んだ赤外線（ＩＲ）信号を送る種類のものでもよい。この場合、ＩＲ信号には、ＩｒＤＡ規格が用いられることが好ましい。
【００３２】
　このように、これらすべての画像装置は、隣接した環境に存在する。すなわち、これら複数種類の装置が１つの建物又は１つのビル集合体内に配置された中央集権化された複写部門などの環境に存在する。これらすべての画像処理装置は、１つの部屋に配置されてもよく、建物又はビル集合体の複数の部屋、階、又はウイングに分散されていてもよい。
【００３３】
　送信器２２から送信された信号を受信する携帯端末３０は、自由に動くオペレータに様々な画像処理装置の作動ステータス・データを提示するのに用いられる。携帯端末３０には、好ましくは永久的な特性のメモリが備えられ、自身の周辺の画像処理装置の各々についての登録データを記憶することによってそれら画像処理装置の各々を登録する。
【００３４】
　図２を参照する。第一の好ましい実施形態によれば、携帯端末３０はハウジング３１を有し、ディスプレイ３２と回転リング３５とが備えられる。ディスプレイ３２は、テキスト及びグラフィック・オブジェクトを表示可能なカラー・ディスプレイである。さらに、図２ａを参照する。プロセッサ３８、メモリ４５、溝５９の下に配置され、音響的警告を生成するラウドスピーカ４３、及び、振動による警告を生成するバイブレータ４０、が備えられる。また、端末は、上記送信器（すなわち、ＲＦ又はＩＲ送受信器）の個々の種類に合致する種類の送受信器３９も有する。電力は、ここでは（好ましくは誘導充電器（図示せず）を備えた）再充電可能なバッテリである電源４１から供給される。ユーザ入力スイッチ及びセンサを表すブロック４３は、携帯端末３０の作動を制御するプロセッサ３８に接続された他の構成要素３２、３９、４０、４１、及び４２などである。
【００３５】
　ディスプレイ３２は２つのセクションを有する。セクション３４は、好ましくはグラフィカル・アイコンとして個々の画像処理装置を表すオブジェクトの弧状の列を表示するのに用いられる。セクション３３は、ステータス及びメニュ情報を表示するのに用いられる。
【００３６】
　回転リング３５は、弾性変形可能な材料から成り、ハウジング３１の両側から突き出ている。図２ｂに最も良く示されているように、回転リングは、ナイロンやテフロン（登録商標）などの低摩擦材から作られ、円周状に間隔が空けられたベアリング・ブロック６３又は他の適切な案内要素を備えたディスク５５によって案内される。このディスクは、携帯端末のフレームに接続されたピン６１を係合するスリット６０によってスライド可能に案内される。この構造により、オペレータは、回転リングをスイッチ５７へ向けて横方向にスライドさせ、スイッチ５７をオンさせることができる。スリット６０に配置されたばねは、ディスク５５をスイッチ５７から遠ざける方向に付勢する。
【００３７】
　図２ｃに最も良く示されているように、角変位検出器（図示せず）に接続されたホイール６４は、回転リング３５の側面と摩擦接触するように配置される。ホイール６４は、回転リングを回転させると、より速い率で回転する。角変位センサの信号は、プロセッサ３８に送られる。リングの側面には、回転リング３５用の制止位置を構成するくぼみ６６が備えられる。
【００３８】
　第一の圧力スイッチ３６は、携帯端末の一面において、回転リング３５の半径方向内側の表面近くのディスク５５のくぼみに配置される。第二の圧力スイッチ３６’は、携帯端末の反対側において、回転リング３５の半径方向内側の表面近くのディスク５５のくぼみに配置される。オペレータがスイッチ３６、３６’の位置でリングを押すと、リングは変形し、対応するスイッチがオンとなる。このように、回転リング３５は、オペレータが携帯端末３０とやりとりするための複数のボタンとして機能する。
【００３９】
　回転リング３５の「ボタン」セクションの双方をより長い時間（好ましくは１．５秒超）押し続けると、端末のオン／オフを切り替えるコマンドと解釈される。携帯端末に電源を入れると、ディスプレイが起動し、図３．１に示す状態を取る。この状態は、セクション３４にスクロール可能な形式で表示された画像処理装置を表すグラフィカル・アイコンの列又はリストと、セクション３３に表示される全体的な情報とを備える。セクション３３は、普段、すべての画像処理装置が適正に機能していることを青色の幸せそうなニコニコマーク７０などの象形文字で示すアイコンを示す。エラー又は混乱が発生すると、よりハッピーでない表情のニコニコマーク及び変更された色（赤）が表示される。いつかは注目する必要があるが、直ちに注目する必要はない事柄は、適切な（すなわち、悲しそうな（惨めそうな）、又は、注目を求め泣いているような）顔の表情を持った緑色のニコニコマークによって表示される。このような表情の例を図６に示す。回転リング３５を回転させることによって、オペレータは、リスト又は他の列をスクロールすることができる。一度に一回だけボタンすなわち回転リングの片側のセクションを押すと、ハイライトされた又はマークされた項目が選択される。両側のセクションを短い時間（すなわち１秒未満）同時に押すと、前の状態又は画面に戻ることができる。
【００４０】
　ディスプレイ・セクション３４には、この例では、ステータが監視されている画像処理装置：端末（Ｔ１）、スキャナ（Ｓ１、Ｓ２）、プリンタ（Ｐ１、Ｐ２）、ファクシミリ（Ｆ１）、コピー機（Ｃ１、Ｃ２、Ｃ３、Ｃ４）、及び、全システム（Ａｌｌ）、のリストを構成する、アイコンの列が表示される。Ｔ１は、携帯端末３０自体である。このように、画像処理装置、全システム、及び、携帯端末自体それぞれに対して、異なるグラフィカル・アイコンが割り当てられる。これらアイコンは、例えば図３．１に示すような頭文字でもよく、或いは、図５に示すようにその装置に似たグラフィック外観を有してもよい。動かないマーカが選択ループ４４の形で設けられ、現在選択されている装置を示す。
【００４１】
　回転リング３５を横方向にスライドさせてスイッチ５７をオンさせることによって、アイコンの列が起動する。一旦起動すると、アイコン列は回転リング３５を回転させることによってスクロールすることができる。
【００４２】
　ユーザ・インターフェースを制御するソフトウェアは、アイコン列を回転リング３５と同じ方向へスクロールさせるようにプログラムされる。また、このソフトウェアは、アイコン列の動きが回転リング３５の動きに比例するようにプログラムされてもよい。このソフトウェアは、アイコン列と回転リング３５が一体として動くためこれらが機械的に接続されているという印象をオペレータに与えるように、アイコン列の動きが回転リング３５の動きと一致するようにプログラムされることが好ましい。
【００４３】
　オペレータが列をスクロールさせ、適切なグラフィカル・アイコンをループ４４に入れ、回転リング３５の「ボタン」セクションのいずれかが押されると、対応する装置のステータスを表示させることが選択され、ディスプレイ３２は図３．２に示す状態となる。本例では、プリンタ２が選択された。
【００４４】
　セクション３３の上部は、選択された装置が適正に機能しているため、幸せそうなニコニコマークを示す。ニコニコマークの下には、「プリンタ２」という文字列が表示される。
【００４５】
　セクション３３の下部には、選択可能なメニュ項目：「ステータス詳細」及び「待機ジョブ」が表示される。これら選択可能な項目のうちの１つは、例えば選択された項目用の異なる色を用いて、又は、下線を引くことによって、強調される。回転リング３５を回線させると、選択可能なメニュ項目の「リスト」がスクロールされる。強調されたメニュ項目は、リングの「ボタン」セクションのいずれかを押すことによって、選択される。
【００４６】
　図３．２に示す状態において「ステータス詳細」が選択されると、ディスプレイ３２は図３．３に示す状態となる。セクション３３の上部は、「プリンタ２」という文字列を表示する。この文字列の下には、ステータス情報を有するリストが表示される。この例では、
状態：印刷中
２０００枚　片面
進行度：２８％
である。この情報項目リストは、全体をディスプレイ上に示すには長過ぎるので、更なる項目は、スイッチ５７（図２ｂ）をオンするように回転リング３５をズラすことなく、回転リング３５を回転させることによって、ディスプレイ・エリア内に「スクロール」することができる。図３．５は、このようなスクロールの後のディスプレイ画面を示す。この例では、
進行度：２８％
排出：１０％
用紙トレイ１：５０％
用紙トレイ２：１００％
と読める。ディスプレイ画面３３の下は、選択可能なメニュ項目：「ジョブ詳細」を示す。これは、ディスプレイを図３．４に示すステータスに移す。このディスプレイ・ステータスは、図３．２に示したディスプレイ・ステータスにおけるメニュ項目：「待機ジョブ」を選択することによっても到達可能である。
【００４７】
　回転リング３５の両方の「ボタン」セクションを同時に短く押すと、ディスプレイは図３．２に示したステータスとなる。両セクションを再度押すと、ディスプレイは図３．１に示した状態となる。
【００４８】
　図３．４に示したディスプレイ・ステータスでは、セクション３３は、現在のジョブの詳細、例えば、「機器」、「ステータス」、「ジョブ番号」、「クライアント」、「ページ」、及び、「残り時間」など、をリストアップする。セクション３３の下部には、選択可能なメニュ項目：「次のジョブ」及び「前のジョブ」が示される。「次のジョブ」を選択すると、印刷待ちの次のジョブの詳細が表示され、「前のジョブ」を選択すると、最後に終わったジョブの詳細が表示される。回転リング３５の両方の「ボタン」セクションを再度同時に押すと、ディスプレイは図３．２に示したステータスとなる。
【００４９】
　スイッチ５７をオンさせずに回転リング３５を時計回りに回転させると、セクション３４のアイコン列が同じく時計回りにスクロールし、反時計回りに回転させると、反時計回りにスクロールする。回転リング３５には、「クリック」として制止位置が設けられることが好ましい。ここで、各「クリック」は、スクロールされる列又はリストにおける次のステップに対応する。すなわち、１つのクリックを選択すると、ループ３８の次のグラフィック項目が選択される。回転リング３５を、２「クリック」分、時計回りに回転させ、そこで選択ループ４４に入ったコピー機１に割り当てられたグラフィカル項目を選択すると、ディスプレイは図３．１に示した状態から図３．６に示した状態となる。
【００５０】
　紙詰まりなどのエラーや直ちに注目されるべき他の混乱は、優先的に表示される。このようなイベントには、例えば、紙詰まり、用紙トレイ空、冷却液小、排出完了、ステープル空、トナー空、要手差し、要特殊用紙、などが含まれる。これら警告は、状況の深刻さに応じて選択された赤色で悲しそうな又は泣いているようなニコニコマークをディスプレイ・セクション３３に示すことによって、直ちに表示される。
【００５１】
　トナー小や用紙トレイの用紙レベル小などの即時の注目を必要としない警告は、より低い優先度の表情でセクション３３に表示される。これら警告は、オペレータが問題となっている画像処理装置のそばにいる場合のみ、注目は必要だが即時でなくてよいことを伝える緑色でニュートラルなニコニコマークで表示される。警告がより深刻になると、ニコニコマークの表情がより不安なものに変化する。
【００５２】
　紙詰まりは、オペレータによる即時の行動を必要とする深刻なエラーである。例えば、紙詰まりがプリンタ１で発生すると、ディスプレイは図３．７に示す状態に変わり、オペレータが選択可能な設定に応じて、音響的な警告及び／又は振動による警報も発せられる。
【００５３】
　ここで、セクション３３の上部は、悲しそうで赤色のニコニコマークを示す。ニコニコマークの下には、「エラー：紙詰まり」という文字列が大きな赤い文字で表示される。その下には、「プリンタ１」という文字列が表示される。セクション３３の下には、選択可能なメニュ項目：「ＯＫ」、「詳細」、及び、「延期」、が表示される。
【００５４】
　「ＯＫ」を選択すると、警告が認識され、ディスプレイ３２が図３．１に示す状態となるが、今回は不幸せそうなニコニコマーク（図６の真ん中のもの）が表示されると共に、エラー・メッセージは消えている。オペレータは、この選択によって、即時に修理行動を取ることを示す。ここでオペレータが別の装置（例えば、適正に機能しているプリンタ２）を選択すると、ディスプレイ３２は図３．１１に示す状態となり、プリンタ２のステータスを示す幸せそうなニコニコマークが示されるが、システムのすべての装置が正常であるわけではないことを示す小さい不幸せそうなニコニコマークも背景に示される。
【００５５】
　紙詰まりを起こしたプリンタ１が修理が実行されたことを一旦登録すると、携帯端末を幸せそうなニコニコマークを有する図３．１のステータスにする信号を携帯端末へ送る。この修理の登録は、すべてのドア及びカバーが閉められた後の画像処理装置のセルフチェックの一部である。
【００５６】
　図３．７に示したディスプレイにおいて「詳細」が選択されると、ディスプレイは図３．８に示した状態となる。セクション３３は、上部エリアに「プリンタ１」という文字列を示す。その下には、詳細なエラー・メッセージ（本例では、「エラーＪ１４：１番上のフィーダで紙詰まり」）が示される。セクション３３の下部には、メニュ項目：「手順」及び「ＯＫ」が表示される。
【００５７】
　「手順」が選択されると、ディスプレイは図３．９に示した状態となる。セクション３３の上部には、「プリンタ１」という文字列が表示される。その下には、この問題を解決するために取る必要がある手順がスクロール可能なリストとしてリストアップされる。本例では、このリストは、「カバー１を開ける」、「ハンドル４を反時計回りに動かす」、「詰まった紙を取り除く」、及び、「カバー１を閉める」、を有する。手順リストがディスプレイ３２に全体を表示するには長過ぎる場合、回転リング３５によってスクロールすることが可能である。説明のための絵がディスプレイ３２に示されてもよい。
【００５８】
　ディスプレイ・セクション３３の下部には、選択可能なメニュ項目：「ＯＫ」が表示される。この「ＯＫ」が選択されると、ディスプレイは図３．１１に示した状態となり、携帯端末は、紙詰まりが発生する前の初期設定、すなわちプリンタ２のステータスを報告する図３．２に示す状態、に戻る。ただし、図３．１１に示した状態は、ディスプレイ・セクション３３の右上の角に赤色の不幸せそうなニコニコマークも示している。これは、残りの装置の１つがエラーを有し、端末が修理完了を伝える信号を待っている、という警告である。
【００５９】
　図３．７に示すディスプレイ３２の状態で「延期」が選択されると、ディスプレイ３２は図３．１０に示した状態をなる。セクション３３の下部には、「１０分延期」という確認メッセージが表示され、ディスプレイは図３．１１に示した状態に戻る。１０分後、又は、他の調整可能な時間経過後、警告が繰り返され、ディスプレイは図３．７に示した状態に再び戻る。
【００６０】
　可動式オブジェクト列から「Ｔ１」すなわち携帯端末自体を選択すると、ディスプレイは図３．１２に示した状態となる。セクション３３は、本例では、「警告」、「装置リスト」、「ユーザ・インターフェース」、「色」、「延期時間」、「言語設定」（図示せず）、及び、「所定距離」（図示せず）、を含む選択可能なメニュ項目のスクロール可能リストを示す。このリストを回転リング３５を用いてスクロールすると、選択可能なメニュ項目が１つずつ強調され、下の又は上のボタンのいずれかを押すと強調されたメニュ項目が選択される。設定変更を実行する動作は、ここでは詳細に示さないが、当業者には明らかであろう。
【００６１】
　図４を参照する。図４は、携帯端末３０の代替的な実施形態を示している。ディスプレイ３２は、画像処理装置をセクション３４に表すオブジェクトを含む直線列をセクション３４に表示するように設計される。セクション３３は、全体的な情報、作動ステータス情報、及び、選択可能なメニュ項目、を表示する。
【００６２】
　回転リング３５は、スライド・スイッチ５０で置き換えられた。オペレータは、スライド・スイッチ５０を、矢印５１の方向に上下にスライドさせるように操作することができる。選択は、スライド・スイッチ５０を矢印５２の方向に押すことによって為される。スライド・スイッチ５０は、弾性的に不正され、ニュートラル位置を取る。ここで、ニュートラル位置とは、矢印５１の方向のスライド範囲の中央であって、矢印５２の方向のスライド範囲の外側端である。ディスプレイ３２のセクション３３は、普段はアクティブであり、スイッチを下方へスライドさせると、列が下にスクロールされる。スライド・スイッチ５０を押したまま方向５１に移動させると画像装置がスクロールされ、スライド・スイッチを離すとその時点で選択ループ４４に入っている装置が選択される。そのとき、セクション３３はアクティブとなり、上述のステータス情報を示す。このソフトウェアは、オブジェクト列の次のオブジェクトを選択ループ４４に入れるために、スライド・スイッチ５０を上方へ１回動かすとオブジェクト列が上方に１オブジェクトずつ動くようにプログラムすることができる。
【００６３】
　頭文字の変わりにグラフィカル・アイコンが用いられたディスプレイを用いた場合を図５に示す。このように、可動式の列は、様々なグラフィカル・アイコンを含む。それぞれのグラフィカル・アイコンには、画像処理装置の各種類が割り当てられている。例えば、プリンタは、ＰＣソフトウェアでこのために一般的に用いられているアイコンに割り当てられ、複写機は、複写機などに似せたグラフィカル・アイコンに割り当てられる。各画像処理装置は、更に、グラフィカル・アイコンと共に表示される数字によっても識別される。また、ステータス・アイコンを装置アイコンと組み合わせ、オペレータにディスプレイ上に示したすべての装置のステータスの最初の兆候を与えてもよい。このようなステータス・アイコンの例は、使用不可能な装置に対する赤十字や、一時的に使用不能な装置に対する砂時計などである。
【００６４】
　携帯端末を用いて監視されている装置群に新しい画像処理装置が追加されると、そのことがサービス・エンジニアによってサーバ２０（図１）の制御プログラムに登録される。追加された装置自身が自動的にサーバに提示してもよい。すると、サーバ２０は、新しい装置をそのステータス監視サービスに含めると共に、携帯端末３０が新しい装置を登録し、それをディスプレイ・セクション３４の装置リスト及び関連する監視サービスに追加できるように、導入データを携帯端末３０へ送信する。
【００６５】
　また、画像処理装置は、上記装置群から取り除かれると、サーバ２０の監視サービスから削除される。この場合、サーバ２０は、該装置をそのディスプレイ及びサービスから除去するための信号を携帯端末３０へ送る。
【００６６】
　以上の説明において、監視サービスの大部分は、サーバ２０（図１）において実行され、携帯端末は、単に、ユーザ・インターフェースとしてサーバ２０における監視サービスを作動させるだけである。このような実施例は、サーバ２０と携帯端末３０の間のデータ・トラフィックを最低限に抑えるという利点を有する。しかしながら、携帯端末において監視サービスを実行し、サーバ２０を監視対象装置のステータス・データを集めるだけに使うことも可能である。
【００６７】
　また、サーバ２０を用いず、各装置が無線送信器を備えるようにすることも可能である。その場合、それら装置は、自身のステータス・データを携帯端末に自ら送り、携帯端末がそれら装置のステータス・データを処理する監視サービスを行う。この場合、携帯端末の制御プログラムにはすべての装置を監視対象として登録するための登録サービスも備えられる。
【００６８】
　本発明に係る装置及び方法の好ましい実施形態をそれらが開発されてきた環境を参照して説明してきたが、それらは本発明の原理の一例に過ぎない。他の実施形態及び構成も添付の請求項の範囲を逸脱せずに案出可能である。
【図面の簡単な説明】
【００６９】
【図１】複数の画像処理装置の作動ステータスを制御するシステムの概略図である。
【図２】本発明に係る第一の好ましい実施形態における携帯端末の詳細図である。
【図２ａ】携帯端末の電子部品の概略図である。
【図２ｂ】回転リング及び関連するベアリング及びスイッチの分解図である。
【図２ｃ】回転ディスクの回転運動を感知するのに用いられるホイールの詳細図である。
【図３．１】一ディスプレイ・ステータスでの携帯端末のディスプレイのコンテンツを示す図である。
【図３．２】一ディスプレイ・ステータスでの携帯端末のディスプレイのコンテンツを示す図である。
【図３．３】一ディスプレイ・ステータスでの携帯端末のディスプレイのコンテンツを示す図である。
【図３．４】一ディスプレイ・ステータスでの携帯端末のディスプレイのコンテンツを示す図である。
【図３．５】一ディスプレイ・ステータスでの携帯端末のディスプレイのコンテンツを示す図である。
【図３．６】一ディスプレイ・ステータスでの携帯端末のディスプレイのコンテンツを示す図である。
【図３．７】一ディスプレイ・ステータスでの携帯端末のディスプレイのコンテンツを示す図である。
【図３．８】一ディスプレイ・ステータスでの携帯端末のディスプレイのコンテンツを示す図である。
【図３．９】一ディスプレイ・ステータスでの携帯端末のディスプレイのコンテンツを示す図である。
【図３．１０】一ディスプレイ・ステータスでの携帯端末のディスプレイのコンテンツを示す図である。
【図３．１１】一ディスプレイ・ステータスでの携帯端末のディスプレイのコンテンツを示す図である。
【図３．１２】一ディスプレイ・ステータスでの携帯端末のディスプレイのコンテンツを示す図である。
【図４】本発明に係る携帯端末の第二の好ましい実施形態を示す図である。
【図５】グラフィック・アイコンを利用してディスプレイを示す図である。
【図６】ステータス描写アイコン（「ニコニコマーク」）の例を示す図である。
【図１】
2004135341.tif 000003
【図２】
2004135341.tif 000004
【図２ａ】
2004135341.tif 000005
【図２ｂ】
2004135341.tif 000006
【図２ｃ】
2004135341.tif 000007
【図３．１】
2004135341.tif 000008
【図３．２】
2004135341.tif 000009
【図３．３】
2004135341.tif 000010
【図３．４】
2004135341.tif 000011
【図３．５】
2004135341.tif 000012
【図３．６】
2004135341.tif 000013
【図３．７】
2004135341.tif 000014
【図３．８】
2004135341.tif 000015
【図３．９】
2004135341.tif 000016
【図３．１０】
2004135341.tif 000017
【図３．１１】
2004135341.tif 000018
【図３．１２】
2004135341.tif 000019
【図４】
2004135341.tif 000020
【図５】
2004135341.tif 000021
【図６】
2004135341.tif 000022